(57)【要約】      （修正有）【課題】従来のまな板では切った具材を鍋に移すときに、横からこぼれるなどしていたため、たわむまな板を提供する。【解決手段】裏面に溝１０を設けた柔軟性のある矩形の板材１らなるまな板の側端面の前記溝１０の方向に沿って設けられた係止部に二股状の支持具３の二股側が通り、前記二股側先端部に設けたナット８でまな板を係止する。【選択図】図１
2014226453.tif 000002
【特許請求の範囲】
【請求項１】
柔軟性のある矩形の板材と二股状の支持具とからなるまな板であって、前記板材の裏面には溝が設けられ、前記板材の前記溝の方向と交わる側面の両端部には孔部が設けられていて、前記二股状の支持具の先端部には雄ねじ部または雌ねじ部が形成され、後端部には柄が設けられてなるとともに、前記二股状の支持具の先端部は前記孔部に挿入され、前記雄ねじ部または雌ねじ部に前記孔部の内径より大きい外径を有する雌ねじまたは雄ねじを螺合してなることを特徴とするまな板。
【発明の詳細な説明】
【技術分野】
【０００１】
本発明は、柄を持ち上げれば自然にまな板がたわむ、柄付きまな板に関するものである。
【背景技術】
【０００２】
従来、まな板といえば固く曲がらない材質で出来ており、取手も付いていないものが知られている。また、薄く自在に曲がる 長方形状板の片方の辺の真ん中に 引っ掛け穴を開け、その辺の二つの 角を内側におり、その内部に 持ち手穴を開けた取手付きまな板が知られている。このまな板は、片手で持てばまな板が自然と曲がり、切った具材が包み込まれるようになるため、切った具材をこぼさずにもう片方の手で具材を掻き出すことにより鍋、又はボールに入れることが容易になった。（特許文献１参照）
【先行技術文献】
【特許文献】
【０００３】
【特許文献１】特開２０１１−２３５０５７号公報
【発明の概要】
【発明が解決しようとする課題】
【０００４】
しかしながら、前記のまな板は薄く曲がる材質で出来ていて、取手が付いているが持ちにくく重量のある具材を片手で鍋、又はボールに掻き出すことは難しかった。本発明は以上の問題点を解決するためになされたものである。
【課題を解決するための手段】
【０００５】
本発明は上記課題を解決するためになされたもので、請求項１に記載のまな板は、柔軟性のある矩形の板材と二股状の支持具とからなるまな板であって、前記板材の裏面には溝が設けられ、前記板材の前記溝の方向と交わる側面の両端部には孔部が設けられていて、前記二股状の支持具の先端部には雄ねじ部または雌ねじ部が形成され、後端部には柄が設けられてなるとともに、前記二股状の支持具の先端部は前記孔部に挿入され、前記雄ねじ部または雌ねじ部に前記孔部の内径より大きい外径を有する雌ねじまたは雄ねじを螺合してなることを特徴とする。
【発明の効果】
【０００６】
本発明のまな板は、上記の構成を有するので、片手で柄をつかみ持ち上げれば、まな板が自然とたわみ、切った具材が包み込まれるようになるため、こぼさずにもう片方の手で具材を掻き出すように鍋、又はボールなどに入れることが可能になり、使い勝手が向上する。
【図面の簡単な説明】
【０００７】
【図１】本発明の実施例１を示す図で、（Ａ）は平面図、（Ｂ）は正面図、（Ｃ）はＸ−Ｘ断面図、（Ｄ）は板材の裏面に設けられた溝の形状を示す図
【図２】本発明の板材の裏面に設けられる溝の他の形状を示す図
【図３】本発明の二股状の支持具を示す図で、（Ａ）は平面図、（Ｂ）は正面図
【図４】本発明の実施例２を示す図で、（Ａ）は平面図、（Ｂ）は正面図
【図５】本発明の実施例２の板材を示す図で、（Ａ）は平面図、（Ｂ）は正面図
【図６】本発明の柄の他の実施例を示す図で、（Ａ）は平面図、（Ｂ）は正面図、（Ｃ）は柄を屈曲させた状態を示す平面図
【図７】本発明の柄の他の実施例を示す正面図
【発明を実施するための形態】
【０００８】
以下実施例を上げて本発明を説明する。
【実施例】
【０００９】
（実施例１）  本発明のまな板２は、シリコンゴム製の矩形の板材１と二股状の支持具３とからなるまな板２であって、前記板材１の裏面には波型の溝１０が設けられ、前記板材１の前記溝１０の方向と交わる側面の両端部には長円形の孔部４が設けられていて、前記二股状の支持具３の先端部には雄ねじ部６が形成され、後端部には柄７が設けられてなるとともに、前記二股状の支持具３の先端部は前記孔部４に挿入され、前記雄ねじ部６に前記孔部４の内径より大きい外径を有する雌ねじとして袋ナット８を螺合して構成されている。
【００１０】
本発明のまな板２を用いて食材など切る場合は、板材１の溝１０の側を裏側にして、通常のまな板のように切ることができる。そして、切った食材を鍋、又はボールに入れる場合は、一方の手で柄７を持ち上げることにより、板材１はたわむので、他方の手で切った食材を掻き出すことができるので、重量のある食材であっても容易に鍋、又はボールに掻き出すことができる。
【００１１】
また、孔部４は長円形をなしているので、二股部１６と孔部４とに遊びが生じ、板材１をたわみ易くしている。
【００１２】
なお、上記板材１の材料はシリコンゴムに限らず、硬質ゴムやシリコンはもちろんプラスチックや木などでも適用できる。また、前記板材１の裏面に設けてある溝１０は、板材１をたわみ易くすることが目的であるため、図２の（Ａ）（Ｂ）（Ｃ）に示したような形状であってもよく、本発明の技術思想が許す範囲内で多様な形状で実施できる。
【００１３】
また、上記板材１に設けてある孔部４の形状は長円形に限らず、二股部１６と孔部４とに遊びが生じるように構成されるのが望ましく、支持具３の二股部１６の直径よりも大きい円形や矩形であってもよい。
【００１４】
そして、上記支持具３は、プラスチックや金属、木などで構成されている。また、柄７は、図６に示したような揺動部１２の付いた柄１４でもよく、前記揺動部１２は、図６の（A）のように伸ばした状態では揺動が止められ、ボタン１３を押すことで揺動が可能となり、図６の（C）のように９０度に畳むことが出来る。また、前記図６の（C）の畳んだ（Ｃ）のような状態で、揺動を止めてもよいし、揺動を可能としてもよい。これにより、調理をするときに柄１４が邪魔になりにくくなり、好ましくなる。
【００１５】
また、支持具３の後端部に設けられた柄７、柄１４は、図７で示したような支持具３の柄７、柄１４の根本を湾曲させてもよい。こうすることによりまな板を手に取りやすくなる。さらに、柄７、柄１４の後端側に吊り孔１５を設けてもよく、吊り孔１５を設けることにより壁などに掛けることができ、まな板の収納に好都合である。
【００１６】
（実施例２）  次に、他の実施例について説明する。まな板２は、シリコンゴム製の矩形の板材１と二股状の支持具３とからなるまな板２であって、前記板材１の裏面にはＶ字状の溝１０が設けられ、前記板材１の前記Ｖ字状の溝１０の方向と平行する側面の3か所にリング状の孔部１１が設けられていて、前記二股状の支持具３の先端部には実施例１と同様の雄ねじ部が形成され、後端部には柄７が設けられてなるとともに、前記二股状の支持具３の先端部は前記リング状の孔部１１に挿入され、前記雄ねじ部に前記リング状の孔部１１の内径より大きい外径を有する雌ねじとして袋ナット８を螺合して構成されている。実施例２のまな板２も実施例１と同様に食材などを切り、鍋または、ボールに掻き出すことができる。
【００１７】
また、本発明に係るまな板２は、上記した実施例に限らず、本発明の技術思想が許す範囲内で多様に変形して実施出来る。
【産業上の利用可能性】
【００１８】
本発明は、工業的に量産する事が可能であるため、産業上の利用可能性を有する。
【符号の説明】
【００１９】
１板材、２まな板、３支持具、４孔部、６雄ねじ部、７柄、８袋ナット、１０溝、１１リング状の孔部、１２可動部、１３ボタン、１４柄、１５吊り孔、１６二股部
【図１】
2014226453.tif 000003
【図２】
2014226453.tif 000004
【図３】
2014226453.tif 000005
【図４】
2014226453.tif 000006
【図５】
2014226453.tif 000007
【図６】
2014226453.tif 000008
【図７】
2014226453.tif 000009